(57)【特許請求の範囲】
【請求項１】
踵部及び足底の一部又は全部を包み込むように湾曲したヘラ状で低弾性軟質の板体に、長手方向の両側端部から中央近傍まで切込んだ幅方向のスリットを所定の間隔で複数設けて長手方向中央に背骨部を形成し、該板体の上面に伸縮性の表皮を接着してなり、前記板体の屈曲に伴って前記両側のスリットが開くとともに、前記表皮が該スリットの開き幅に応じて伸張することを特徴とする履物中敷。
【請求項２】
板状の踵部と複数本の棒状体を連接して形成され、該各棒状体は、一方の長手方向側面の中央部に凸状係合部が設けられ、もう一方の長手方向側面の中央部に前記凸状係合部に対応する凹状係合部が設けられており、また、前記踵部のつま先方向の側面中央部にも凸状係合部又は凹状係合部が設けられ、
前記複数本の棒状体に設けられた凸状係合部及び凹状係合部を夫々対応させながら複数本の各棒状体と、さらに、前記踵部とを連接させるとともに、該複数の棒状体と踵部の上面に表皮を接着してなることを特徴とする履物中敷。
【請求項３】
前記履物中敷は、踵部から拇指球近傍に掛けて装着するサイズに形成されていることを特徴とする請求項１又は２のいずれかに記載の履物中敷。
【発明の詳細な説明】
【技術分野】
【０００１】
本発明は、踵部の屈曲角度が異なる種々のハイヒールやパンプスに装着可能な汎用性を有する履物中敷に関する。
【背景技術】
【０００２】
従来、全体を軟質のゴム材料を用いて一体的な板体に成形したことで屈曲性に優れ、自由に曲げて使うことができる靴底について、ヒールの高さの違いから靴底形状が異なるモデルの種々の靴に対し、共通に用いることのできる靴底が提供されている（特許文献１）。
【０００３】
また、布を固めて成形した中敷であって、幅方向に細長とした凸部及び凹溝を長手方向に間隔をあけて形成したことにより、靴を履いた際、足の曲がりになじんで曲がりやすくなり、新しい靴でも履きやすく、踵ずれしたり、水膨れができたりしにくくなる中敷が提供されている（特許文献２）。
【先行技術文献】
【特許文献】
【０００４】
【特許文献１】特開２００９−８２６４８号公報
【特許文献２】特開平９−７５１０５号公報
【発明の概要】
【発明が解決しようとする課題】
【０００５】
しかしながら、前記特許文献１に記載の靴底は、素材として軟質のゴム材料が使用されているため、踵部から拇指球近傍に接する部分に掛けての屈曲角度が異なる履物であっても、その軟質性により自由に屈曲させて装着することができるものの、履物のサイズに合せて該靴底を製造する必要があるため原則的にサイズの異なる履物に装着することはできなかった。ただ、例えば、該靴底よりも大きいサイズの履物であれば、該靴底を無理に伸長させて装着することは可能であるが、そのような場合には、ゴム材料による弾性力により該靴底が元のサイズに戻ろうとして、該靴底が靴本体から剥がれてしまったり、靴の傷みが早くなったりするという問題があった。
【０００６】
また、前記特許文献２に記載の中敷は、布を固めたシート状に凹溝が形成されていることにより、踵部から拇指球近傍に接する部分に掛けての屈曲角度が異なる履物であっても装着可能であるものの、履物のサイズに合せて該中敷を製造する必要があるため、サイズの異なる様々な履物に対応することはできなかった。また、該中敷の素材が布であるため、履物の踵部から拇指球近傍に接する部分に掛けての屈曲角度に合せた形状を維持することができず、激しい動き等をした際には、靴底との密着状態が解除されて中敷がズレてしまう等の不具合が起こる可能性があった。
【０００７】
そこで、本発明は、サイズ又はハイヒールやローヒール等の踵部から拇指球近傍に接する部分に掛けて屈曲角度が異なる種々のパンプスに装着可能な汎用性を有し、装着した履物自体を傷めることなく長く使用することができるとともに、屈曲させた形状を維持することが可能な履物中敷を提供することを課題とした。
【課題を解決するための手段】
【０００８】
上記課題を解決するために、本発明は次のように構成した。すなわち、本発明に係る請求項１に記載の履物中敷は、踵部及び足底の一部又は全部を包み込むように湾曲したヘラ状で低弾性軟質の板体に、長手方向の両側端部から中央近傍まで切込んだ幅方向のスリットを所定の間隔で複数設けて長手方向中央に背骨部を形成し、該板体の上面に伸縮性の表皮を接着してなり、前記板体の屈曲に伴って前記両側のスリットが開くとともに、前記表皮が該スリットの開き幅に応じて伸張することを特徴としている。
【０００９】
また、請求項２に記載の履物中敷は、板状の踵部と複数本の棒状体を連接して形成され、該各棒状体は、一方の長手方向側面の中央部に凸状係合部が設けられ、もう一方の長手方向側面の中央部に前記凸状係合部に対応する凹状係合部が設けられており、また、前記踵部のつま先方向の側面中央部にも凸状係合部又は凹状係合部が設けられ、前記複数本の棒状体に設けられた凸状係合部及び凹状係合部を夫々対応させながら複数本の各棒状体と、さらに、前記踵部とを連接させるとともに、該複数の棒状体と踵部の上面に表皮を接着してなることを特徴としている。
【００１０】
さらに、請求項３に記載の履物中敷は、前記請求項１又は２のいずれかに記載の履物中敷が、踵部から拇指球近傍に掛けて装着するサイズに形成されていることを特徴としている。
【発明の効果】
【００１１】
本発明に係る請求項１に記載の履物中敷によれば、軟質の合成樹脂素材からなる板体に幅方向で両側端部から切込みを入れたスリットを複数設けたことにより、サイズ又はハイヒールやローヒール等の踵部から拇指球近傍に接する部分に掛けて屈曲角度が異なる種々のパンプスに装着可能な汎用性を有し、装着した履物自体を傷めず長く使用することができるとともに、低弾性の合成樹脂素材を用いて屈曲させた形状を維持することにより、履物中敷のズレを防止することができる。
【００１２】
また、請求項２に記載の履物中敷によれば、前記請求項１に記載の履物中敷が奏する効果のみならず、各棒状体に設けられて係合された凸状係合部及び凹状係合部を摺動させることにより、履物中敷の屈曲角度を調節することができる。
【００１３】
さらに、請求項３に記載の履物中敷によれば、踵部から拇指球近傍までのサイズで形成されているため、靴底のサイズに合せて履物中敷の大きさを設定する必要はなく、一つの履物中敷で種々のサイズのパンプス等の履物に装着することができる。
【図面の簡単な説明】
【００１４】
【図１】第一実施例の履物中敷の構成を示す斜視図である。
【図２】板体を示す平面図である。
【図３】板体を示す正面図である。
【図４】板体を示す背面図である。
【図５】板体を屈曲させた状態を示す斜視図である。
【図６】表皮を接着した板体を屈曲させた状態を示す図である。
【図７】該履物中敷を履物に装着する様子を示す斜視図である。
【図８】他の実施例の履物中敷の構成を示す斜視図である。
【図９】該履物中敷を屈曲させた状態を示す断面図である。
【図１０】他の実施例の履物中敷の構成を示す図である。
【発明を実施するための形態】
【００１５】
本発明に係る第一実施例の履物中敷１について、図１乃至図７を用いて詳細に説明する。
【００１６】
図１は、該履物中敷１の構成を示す外観斜視図である。履物中敷１は、図１（ａ）に示す通り、板体２及び表皮３によって構成されており、板体２は、低弾性で軟質の合成樹脂材を素材とし、足裏の踵部から拇指球近傍までを覆う程度のサイズでシート状に形成されるとともに、幅方向断面が弓形のヘラ状に湾曲して足裏を包み込むように形成され、両側端部から切込こんだスリット２ａが踵部を覆う部分を除く全面に所定の間隔で複数設けられる。また、表皮３は、伸縮性の皮革、合成皮革、布材等で形成され、図１（ｂ）に示すように、板体２の上面に接着剤等によって接着される。なお、板体２の素材は、アルミニウム等の金属類のように、屈曲可能な可撓性を有していれば、どのような素材であってもよい。
【００１７】
板体２の形状について、より詳細に図２乃至図４を用いて説明する。図２は、板体２を示す平面図であり、図３は、その正面図であり、図４は、その背面図である。これらに図示した通り、板体２は、足裏と接する上面が土踏まずのアーチ形状に対応するように板体２の内側が若干隆起して形成されている。また、上記図１で説明したように、足裏の踵部を覆う部分は浅皿状に窪んで踵部をしっかりと包み込む形状をしているとともに、踵部を覆う部分から爪先方向に向かって、幅方向のサイズを広げながら緩やかに下り傾斜するように形成されている。このように、履物中敷１の踵部と接する部分を浅皿形状に形成したことにより、靴底の踵部に履物中敷１を嵌合させやすく、しっかりと固定することができ、また、踵部から爪先方向への下り傾斜により、例えば、ローヒールのパンプス等の靴底に確実に当接させることができる。
【００１８】
また、板体２の両側端部から幅方向と平行に切込まれたスリット２ａは、踵部を覆う部分を除く全面に約１．０ｃｍの間隔で複数設けられるが、板体２を屈曲することが可能であれば、約１．０ｃｍの間隔に限られるものではない。このように形成されたスリット２ａにより、軟質の合成樹脂素材でなる板体２は、上下方向への屈曲が容易となる。
【００１９】
そして、このように屈曲可能な板体２は、種々のパンプスの形状に適合した屈曲角度に調節して、その屈曲状態を維持することができる。図５は、板体２を屈曲させた状態を示す斜視図である。上述の通り、板体２は、低弾性で軟質の合成樹脂素材によって形成され、屈曲させると両側端部に設けた複数のスリット２ａの幅が開いて屈曲させることが容易にできるとともに、前記スリット２ａを設けたことにより形成された長手方向中央の背骨部分により、低弾性の合成樹脂素材でなる板体２の屈曲状態を維持することができる。
【００２０】
そして、図６に示すように、板体２の上面に接着した表皮３は、板体２の屈曲に伴って、破線で示すスリット２ａの幅が開いたとしても、その伸縮性により、スリット２ａが開いた幅の分だけ伸長する。そのため、表皮３が、板体２の屈曲を阻害したり、履物中敷１を屈曲させた際に表皮３が破損する等の問題が起きたりすることはない。また、板体２の上面に伸縮性の表皮３を接着することにより、表皮３にクッション性の素材を設けることで、履物自体の履き心地を良くすることもできる。
【００２１】
図７は、上記履物中敷１をパンプス４に装着する様子を示す図であり、図７（ａ）は、ローヒールのパンプス４に履物中敷１を装着する様子を示す図、また、図７（ｂ）は、ハイヒールのパンプス４に履物中敷１を装着する様子を示す図である。図７（ａ）及び（ｂ）のいずれについても、履物中敷１は、パンプス４の踵部から拇指球近傍に掛けて装着するものであり、通常市販されている中敷のように靴底全面に沿って装着するものではない。よって、靴底のサイズに合せて履物中敷１の大きさを設定する必要はなく、一つの履物中敷１で種々のサイズのパンプス４に装着することができる。また、履物中敷１は、上述したように、任意の角度に屈曲することができ、さらにその屈曲状態を維持することができるので、ローヒールのパンプス４であってもハイヒールのパンプス４であっても、その踵部から拇指球近傍に至るパンプス４の靴底の角度に調節することにより、該靴底に的確に当接させることができる。
【００２２】
また、図７に示したローヒール又はハイヒールのパンプス４に限らず、どのようなサイズや形状のパンプス４であっても、板体２の屈曲角度を調節すれば、履物中敷１を種々な履物の靴底に当接させて的確に装着することができる。また、その屈曲状態を維持したまま、靴底に装着するので、激しい運動等をした場合にも履物中敷１がズレることなく装着状態を維持し、履物を損傷することなく使用することができる。
【００２３】
上記第一実施例とは異なり、次のような第二実施例の構成を採用してもよい。以下に、図８及び図９を用いて具体的に説明する。
【００２４】
図８は、履物中敷１の構成を示す斜視図である。該履物中敷１は、板体２の幅方向の両側端部から複数の切込みを入れ、踵部に接する部分を除く板体２の全面を複数本の棒状体５に分離し、図８（ｂ）に示すように、その上面に表皮３を接着することで踵部に接する部分及び複数本の各棒状体５を連接して構成される。
【００２５】
図９は、履物中敷１を屈曲させた際の長手方向断面図である。各棒状体５間のスペースに余裕があるため、履物中敷１を屈曲させることができる。また、上記実施例と同様に、表皮３は伸縮性を有する布材等であり、該履物中敷１を屈曲させたとしても、その屈曲に伴う各棒状体５間の表皮３側のスペースが広がるのに伴い伸張するので、破断することはない。
【００２６】
該履物中敷１は、図７で示した上記実施例の履物中敷１と同様に、履物中敷１の長手方向に低弾性で軟質の合成樹脂素材でなる棒状体５が表皮３によって複数本連接され、各棒状体５間にはわずかな隙間のスリットが形成されるので、種々のサイズ又は形状の履物であっても、その靴底の屈曲に合せて履物中敷１を屈曲することができるとともに、靴底に装着すれば、その屈曲状態を維持することができる。また、前記棒状体５が履物中敷１の幅方向と平行に表皮３に複数本接着してほぼ隙間なく連接されているため、激しい運動等によっても履物中敷１の屈曲状態を維持することができ、それ故履物中敷１が靴底でズレることもないので、履物自体を損傷することなく使用することができる。
【００２７】
また、下記の第三実施例のような構成を採用することも可能である。該構成の履物中敷１に係る板体２を図１０（ａ）を用いて説明する。
【００２８】
該履物中敷１は、上記の実施例と同様に棒状体５を連接して形成される。本実施例の棒状体５は、一方の長手方向側面の中央部に側面視断面がキノコ状の凸状係合部６ａが設けられ、またもう一方の長手方向側面の中央部に前記凸状に対応するように開口した凹状係合部６ｂが形成されている。また、踵部に接する部分のつま先方向の側面中央部にも、棒状体５と接続するための凸状係合部６ａ又は凹状係合部６ｂが形成されている。そして、複数本の棒状体５に設けられた凸状係合部６ａ及び凹状係合部６ｂを夫々対応させながら嵌合させて複数の棒状体５を連接させ、踵部と接する部分と接続するとともに、その上面に表皮３を接着することによって履物中敷１を形成する。
【００２９】
このように、凸状係合部６ａ及び凹状係合部６ｂを用いて複数本の棒状体５及び踵部と接する部分を連接して履物中敷１を形成することにより、板体２の長手方向の両側端部から切込んだ幅方向のスリット２ａを複数形成させることができ、上記実施例と同様の効果を奏することができるとともに、上記実施例に比べて強度を増すことができる。例えば、第一実施例の履物中敷１では、板体２の長手方向中央に形成された背骨部分が、極端な複数回の屈曲により折れてしまうおそれがあるのに対して、本実施例の履物中敷１では、棒状体５の凸状係合部６ａ及び凹状係合部６ｂが摺動して屈曲角度を調節することができるので板体２が折れることはなく、嵌合状態が外れたとしても容易に嵌合状態に修復可能である。また、第二実施例の履物中敷のように、複数本の棒状体５を連接する表皮３に過大な負担が掛かり破断してしまうおそれも軽減することができる。
【００３０】
また、図１０（ｂ）に示したように、棒状体５長手方向の一方の側面全体に凸状係合部６ａを突設するとともに、もう一方の長手方向側面全体に凹状係合部６ｂを設けてもよい。このように凸状係合部６ａ及び凹状係合部６ｂを設けて複数本の棒状体５を連接すると、係合した部分に若干の隙間ができて板体２の厚み方向上下にスリット２ａが形成され、該スリット２ａ幅の範囲内において凸状係合部６ａ及び凹状係合部６ｂを摺動させることにより、板体２の屈曲角度を調節することができる。
【００３１】
上記実施例の履物中敷１では、種々のサイズの履物に対応すべく、履物中敷１自体のサイズを踵部から拇指球近傍までに掛けて接する形状としたが、靴底全面のサイズに対応した形状の履物中敷１であってもよい。該履物中敷１においては、板体２が踵部から爪先に至る部分に接するサイズで形成され、また、そのスリット２ａも踵部と接する部分を除く全面に板体２の幅方向両側端部から切込みがされる。このような履物中敷１では、様々なサイズの履物に汎用的に装着することはできないが、履物中敷１が靴底においてズレにくく、また、靴底の爪先部分までをも保護することができる。
【産業上の利用可能性】
【００３２】
サンダル等、足裏と接触する面が平らな履物であっても、本発明の履物中敷１を装着することは可能である。
【符号の説明】
【００３３】
１    履物中敷
２    板体
２ａ  スリット
３    表皮
４    パンプス
５    棒状体
６ａ  凸状係合部
６ｂ  凹状係合部
【図１】
0005474427.tif 000002
【図２】
0005474427.tif 000003
【図３】
0005474427.tif 000004
【図４】
0005474427.tif 000005
【図５】
0005474427.tif 000006
【図６】
0005474427.tif 000007
【図７】
0005474427.tif 000008
【図８】
0005474427.tif 000009
【図９】
0005474427.tif 000010
【図１０】
0005474427.tif 000011